(57)【要約】【課題】その課題は、フィルム間の現像処理、スキャン処理を効率よく連続して行えるプリント処理システムを提供することにある。【解決手段】本発明に係るプリント処理システム１は、フィルムプロセッサＦＰと、フィルムスキャナＦＳと、プリント作成装置ＰＡを備え、未現像写真フィルム単位の現像処理間隔である固定インターバル時間を格納し、未現像写真フィルムの先端及び後端を検出し、オーダ情報の入力を受け付ける入力手段１００と、検出結果によってフィルム長さを算出し、当該算出されたフィルム長さと、オーダ情報によって決定されるスキャン解像度とに基づいて、未現像写真フィルム単位の現像処理間隔である可変インターバル時間を算出する可変インターバル時間算出手段２０４と、算出された可変インターバル時間と固定インターバル時間を比較した比較結果に基づいて、インターバル時間を設定するインターバル時間設定手段１７ｂを有することを特徴とする。【選択図】図１
2007183361.tif 000002
【特許請求の範囲】
【請求項１】
未現像写真フィルムの現像処理を行うフィルムプロセッサと、当該現像処理後の現像済写真フィルムのコマの情報を画像データとして取得するフィルムスキャナと、当該画像データに基づいて写真プリントを作成するプリント作成装置を備えるプリント処理システムであって、
直前の未現像写真フィルムの現像処理と次の未現像写真フィルムの現像処理とのインターバル時間であって、予め設定されている固定インターバル時間を格納する格納手段と、
スキャニング時間変動要因に基づいて可変インターバル時間を算出する可変インターバル時間算出手段と、
前記算出された可変インターバル時間と前記固定インターバル時間を比較する比較手段と、
前記比較手段の比較結果に基づいて、インターバル時間を設定するインターバル時間設定手段と
を有するプリント処理システム。
【請求項２】
前記未現像写真フィルムを検出する検出手段と、
前記画像データの注文に関する情報であるオーダ情報の入力を受け付ける入力手段とを更に備え、
前記可変インターバル時間算出手段は、
前記検出手段の検出結果によって前記フィルム長さを算出し、少なくとも当該算出されたフィルム長さと、前記オーダ情報によって決定されるスキャン解像度とに基づいて、可変インターバル時間を算出する請求項１に記載のプリント処理システム。
【請求項３】
前記設定されたインターバル時間の経過後に、新規の未現像写真フィルムの現像処理が開始されるように制御する制御手段を、さらに有する請求項１又は請求項２に記載のプリント処理システム。
【請求項４】
前記設定されたインターバル時間の経過後に、新規の未現像写真フィルムをフィルムプロセッサにセットできるように制御する制御手段を、さらに有する請求項１又は請求項２に記載のプリント処理システム。
【請求項５】
前記インターバル時間設定手段は、
前記固定インターバル時間が前記可変インターバル時間より大きい場合に、当該固定インターバル時間を前記インターバル時間に設定し、
前記固定インターバル時間が前記可変インターバル時間より小さい場合に、当該固定インターバル時間と当該可変インターバル時間との差分値を当該固定インターバル時間に加算した値を前記インターバル時間に設定することを特徴とする請求項１から請求項４のいずれか１項に記載のプリント処理システム。
【発明の詳細な説明】
【技術分野】
【０００１】
本発明は、未現像写真フィルムの現像処理を行うフィルムプロセッサと、現像済写真フィルムのコマの情報を画像データとして取得するフィルムスキャナと、当該画像データに基づいて写真プリントを作成するプリント作成装置を備えるプリント処理システムに関する。より詳細には、未現像写真フィルム間の現像処理間隔を設定するものに関する。
【背景技術】
【０００２】
未現像写真フィルムの現像処理を行うフィルムプロセッサと、現像済写真フィルムのコマの情報を画像データとして取得するフィルムスキャナとを一体の装置として構成したものが公知である（特許文献１参照）。そして、このフィルムスキャナで取得された画像データを通信手段で受信し、当該受信した画像データに基づいて写真プリントを作成するプリント作成装置をさらに具備したプリント処理システムがある。
【０００３】
上記のフィルムプロセッサにおいて、連続してフィルムの同時プリント処理をする場合に、直前のフィルムのフィルムスキャナによるスキャン処理が終了しフィルムスキャナから排出されないと、次のフィルムをフィルムスキャナへ挿入できない。そこで、未現像写真フィルムをフィルムプロセッサにローディングする際に、直前のフィルムが排出されてから処理できるように、次のフィルムとの間のインターバル時間を設定する必要がある。このシステムでは、フィルム間のインターバルはフィルムプロセッサで固定値として予め設定されている。ところが、スキャン処理時間は、フィルム長さ、スキャン解像度により異なるため、その固定値は、予想される最大時間が設定されるものであり、最長のフィルム長さ及び最大のスキャン解像度に基づいて設定されることになる。
【０００４】
【特許文献１】特開平１１−２３４４７６号公報
【発明の開示】
【発明が解決しようとする課題】
【０００５】
しかし、上記のように、最長のフィルム長さ及び最大のスキャン解像度に基づいてインターバル時間を設定すると、最小のフィルム長さ又は最小のスキャン解像度でのフィルムの場合には、設定されているインターバル時間が必要以上に長いこととなり処理効率の低下を招く。
また、インターバル時間として、平均のインターバル時間を固定値として設定すると、フィルムが長い場合やスキャン解像度が大きい場合には、直前のフィルムスキャン処理が終了する前に、次のフィルムがフィルムプロセッサからストッカに排出され、連続してスキャン処理できない。一方、フィルム長さが短い場合や、スキャン解像度が小さい場合には、上記したように必要以上にフィルム間のインターバル時間が設定されていることにより、現像・スキャン処理を効率よく連続して行うことができない。
【０００６】
本発明は上記実情に鑑みてなされたものであり、その課題は、フィルム間の現像処理、スキャン処理を効率よく連続して行えるプリント処理システムを提供することにある。
【課題を解決するための手段】
【０００７】
上記課題を解決するため本発明に係るプリント処理システムは、
直前の未現像写真フィルムの現像処理と次の未現像写真フィルムの現像処理とのインターバル時間であって、予め設定されている固定インターバル時間を格納する格納手段と、
スキャニング時間変動要因に基づいて可変インターバル時間を算出する可変インターバル時間算出手段と、
算出された可変インターバル時間と固定インターバル時間を比較する比較手段と、
比較手段の比較結果に基づいて、インターバル時間を設定するインターバル時間設定手段と
を有することを特徴とする。
【０００８】
かかるプリント処理システムの作用・効果は次の通りである。すなわち、本システムは、未現像写真フィルムの現像処理を行うフィルムプロセッサと、現像済写真フィルムのコマの情報を画像データとして取得するフィルムスキャナと、当該画像データに基づいて写真プリントを作成するプリント作成装置を備える。直前の未現像写真フィルムの現像処理と次の未現像写真フィルムの現像処理とのインターバル時間である固定インターバル時間が、予め格納されている。そして、連続してフィルムの現像処理、スキャン処理を行う場合に、スキャニング時間変動要因に基づいて新たに可変インターバル時間が算出される。そして、算出された可変インターバル時間と固定インターバル時間を比較し、その比較結果に基づいて、インターバル時間が設定される。スキャニング時間変動要因は、例えば、スキャン処理における処理時間を決定する要因であって、例えば、コマ数、フィルム長さ、フィルム搬送速度、スキャン解像度、スキャンニングによるデータ処理負荷状況等が例示される。
【０００９】
これによって、フィルム毎に適切なインターバル時間を設定できるので、フィルム間の現像処理、スキャン処理を効率よく連続して行える。
【００１０】
また、本発明において、未現像写真フィルムを検出する検出手段と、
画像データの注文に関する情報であるオーダ情報の入力を受け付ける入力手段とをさらに備え、
可変インターバル時間算出手段は、
検出手段の検出結果によってフィルム長さを算出し、当該算出されたフィルム長さと、オーダ情報によって決定されるスキャン解像度とに基づいて、可変インターバル時間を算出することを特徴とする。
【００１１】
かかる構成によれば、連続してフィルムの現像処理、スキャン処理を行う場合に、フィルム毎にオーダ情報が入力され、次いで、当該オーダ情報に対応する未現像写真フィルムがセットされる。そして、ローディングが開始されると、未現像写真フィルムを検出して（例えば、フィルムの先端及び後端を検出して、またはコマ数を検出して）、フィルム長を算出し、少なくとも、当該算出されたフィルム長さと、オーダ情報によって決定されるスキャン解像度とに基づいて、新たに可変インターバル時間が算出される。次いで、算出された可変インターバル時間と予め設定され格納されている固定インターバル時間を比較して、その比較結果に基づいて、インターバル時間が設定される。また、可変インターバル時間の算出において、フィルム長さとスキャン解像度、搬送速度、スキャンニングのデータ処理時間に基づいて算出するように構成できる。これによれば、より多くの変数を用いて可変インバータ時間を算出できるので、インターバル時間の設定に好ましい。搬送速度は予め設定され、スキャンニングのデータ処理時間はスキャンされたデータ量に依存する。
【００１２】
これによって、フィルム毎に適切なインターバル時間を設定できるので、フィルム間の現像処理、スキャン処理を効率よく連続して行える。
【００１３】
また、本発明において、設定されたインターバル時間の経過後に、新規の未現像写真フィルムの現像処理が開始されるように制御する制御手段を、さらに有する構成とすることは好ましい。
【００１４】
この構成によれば、設定されたインターバル時間の経過後に、新規の未現像写真フィルムの現像処理が開始されるので、仮に未現像写真フィルムがセットされても、自動的にローディングされることがなく好ましい。
【００１５】
また、本発明において、設定されたインターバル時間の経過後に、新規の未現像写真フィルムをフィルムプロセッサにセットできるように制御する制御手段を、さらに有する構成とすることは好ましい。
【００１６】
この構成によれば、設定されたインターバル時間の経過後に、新規の未現像写真フィルムをフィルムプロセッサにセットできるので、インターバル時間が設定された後にのみ未現像写真フィルムをセットするので、フィルム間の現像処理、スキャン処理を効率よく連続して行える。
【００１７】
また、本発明において、インターバル時間設定手段は、固定インターバル時間が可変インターバル時間より大きい場合に、当該固定インターバル時間を前記インターバル時間に設定し、固定インターバル時間が可変インターバル時間より小さい場合に、当該固定インターバル時間と当該可変インターバル時間との差分値を当該固定インターバル時間に加算した値をインターバル時間に設定することは好ましい。
【００１８】
この構成によれば、インターバル時間の設定を適切に行え、必要以上にインターバル時間を長く設定することがなく、現像処理、スキャン処理の処理能力を効率的に向上できる。
【００１９】
本発明において、「オーダ」は、写真プリントを作成する場合の注文単位である。「１オーダ」は、フィルム１本分についてのプリント注文に係る画像データ群を指すものである。
【００２０】
また、「オーダ情報」は、フィルム１本分の注文に関するデータであり、例えば、プリント枚数、プリントサイズ、インデックスプリントの有無、メディアへの記録の有無等である。個々のコマ画像についての詳細な設定は、画像データとして取得された後にプリント作成装置側で実行できる。
【００２１】
また、本発明において「プレジャッジ」は、画像データに基づいて写真プリントを作成する前に、適切な画質の写真プリントが作成されるか否かを判定する作業であり、より具体的には、プレジャッジ画面上で、コマ画像ごとに、色、濃度の補正値、シャープネス補正、赤目補正等の設定、プリント枚数の設定、プリントサイズの設定等を適宜設定するものである。以下、同様である。
【発明を実施するための最良の形態】
【００２２】
本発明に係るプリント処理システムの好適な実施形態を、図面を用いて説明する。図１は、フィルムプロセッサＦＰと、フィルムスキャナＦＳで構成されるフィルムスキャナＦＡと、プリント作成装置ＰＡを有するプリント処理システム１全体の外観構成を示す図である。なお、プリント処理システム１は、その他の装置（例えば、注文者用受付端末、記録媒体への書き込み・読み取り装置、インターネット受付可能なＰＣ端末等）を有する構成でもよい。
【００２３】
＜システムの全体構成＞
図１において、フィルム処理装置ＦＡは、未現像写真フィルムの現像処理を行うフィルムプロセッサＦＰと、現像済写真フィルムのコマの情報を光電変換により画像データとして取得するフィルムスキャナＦＳとを上下位置に配置する。そして、フィルム処理装置ＦＡは、フィルムプロセッサＦＰの排出部から排出された現像済写真フィルムをフィルムスキャナＦＳの供給部に送る供給搬送系に対して、現像済写真フィルムの供給部に送り込む供給状態と、外部に送り出す排出状態とに切り換え可能な供給搬送機構Ａとを備える。
【００２４】
このフィルム処理装置ＦＡは、通信回線を介してプリント作成装置ＰＡに接続される。プリント作成装置ＰＡは、通信機能、オーダ管理・制御機能、画像処理機能、プリント作成機能を有し、コンピュータ、ディスプレイ等の表示手段、キーボード、マウス等のインターフェースとを備えている。この構成によりフィルム処理装置ＦＡで取得した画像データは、通信回線を介してプリント作成装置ＰＡに伝送され、このプリント作成装置ＰＡにおいて印画紙等のプリント媒体にプリントされる。オーダ管理・制御機能は、画像データをオーダ単位に管理し、プリント作成の順序を設定できるように構成される。
【００２５】
なお、プリント作成装置ＰＡは銀塩式の印画紙を用いるものに制限されず、インクジェット型、昇華型のものも適用できる。
【００２６】
本発明において、フィルムプロセッサＦＰに挿入する以前の写真フィルムを未現像写真フィルムと称し、フィルムプロセッサＦＰで現像処理した後の写真フィルムを現像済写真フィルムと称する。
【００２７】
＜フィルムプロセッサ＞
フィルムプロセッサＦＰは、図１、２に示すように、プロセッサ本体の前部にフィルム挿入部１１を配置し、プロセッサ本体内部に現像処理部１２、乾燥処理部１３とを備え、プロセッサ本体の後部に排出部１４を配置し、フィルム挿入部１１から排出部１４にわたって搬送機構１５を形成している。プロセッサ本体の前部位置には各種情報を表示する液晶ディスプレイ１６Ａと複数の操作ボタン１６Ｂを有したコントロールパネル１６を備え、プロセッサ本体内部にフィルムプロセッサＦＰ全体の制御を実現する制御ユニット１７を備える。プロセッサ本体の上面には、排出部１４から送りだされる現像済写真フィルムを受け止めるフィルムストッカー１８が形成されている。
【００２８】
フィルム挿入部１１には、開閉自在な蓋体１１Ａを備え、フィルムカートリッジＣａに収容されたロール状の未現像写真フィルムをセットし、搬送機構１５に受け渡す作動系（フィルム駆動機構１１ｅ）と、フィルムの後端を切断する切断ユニット１１Ｂを備える。
【００２９】
また、フィルムの長さの情報を得るために、搬送機構１５によって搬送されるフィルム先端及び後端の通過を検出するローディング検出手段１１ｃを備える。ローディング検出手段１１ｃは、例えば、一対の光学式センサ（受光式、投光式）、反射型センサ、レーザセンサ、その他の近接センサ、イメージセンサ等で構成できるが、一対の光学式センサ（受光式、投光式）が好ましい。このローディング検出手段１１ｃの検出結果が、後述する可変インターバル時間算出手段２０４に送信され、フィルム長さが算出される。フィルム長さは、ローディング検出手段１１ｃがフィルム先端と後端のそれぞれを検出した時刻と搬送速度から算出される。
【００３０】
例えば、ＡＰＳフィルムの現像処理の場合、カートリッジＣａから引き出したフィルムの先端に粘着テープ等を用いてリーダＬを取り付け、蓋体１１Ａを開放して、このリーダＬが先行するようにフィルム挿入部１１にカートリッジＣａをセットする。次に、蓋体１１Ａを閉じた後、手動モードの場合に、コントロールパネル１６の所定の操作ボタン１６Ｂを操作することで制御ユニット１７の制御によってフィルム搬送（ローディング）が開始され、現像処理部１２での現像処理と、乾燥処理部１３での乾燥処理の後に排出部１４からリーダＬを先頭にしてフィルムが排出される。ここで、リーダＬは、樹脂製のフィルムと同程度の柔軟性を持つシート状であり、幅方向の一端には搬送用の複数のパーフォレーションが形成されている。なお、ＡＰＳフィルムに制限されず、１３５フィルム等の現像処理も行えることはいうまでもない。
【００３１】
連続処理モードに設定されている場合には、設定されたインターバル時間の経過後に、セットされた新規の未現像写真フィルムの現像処理が開始されるように（ローディングが開始されるように）制御ユニット１７によって制御される。具体的には、制御ユニット１７は、ローディングを開始するようにフィルムプロセッサＦＰの各要素を制御する。フィルム駆動機構１１ｅが、リーダＬ及びフィルムを圧着ローラで狭持しながら現像処理部１２まで搬送し、ローディング検出手段１１ｃが搬送されてきたリーダＬ及びフィルムの先端を検出すると、搬送機構部１５が駆動され、リーダＬ及びフィルムを圧着ローラで挟持して、現像処理部側に搬送する。ここで、フィルム駆動機構１１ｅと搬送機構１５は、別駆動で動作する。ここで「ローディング」は、フィルムカートリッジＣａからフィルムが搬送機構１５によって引き出され、現像処理部１２に搬送される動作を意味する。
【００３２】
また、設定されたインターバル時間の経過後に、新規の未現像写真フィルムをフィルムプロセッサにセットできるように、例えば、蓋体１１Ａは開閉できないように構成することは好ましい。蓋体１１Ａが開けることができなければ、新規のフィルムをセットできないし、蓋体１１Ａを閉じることができなければローディングが開始されないように、蓋体１１Ａの開閉に伴うリミットスイッチのＯＮ・ＯＦＦをトリガとして制御するように構成してもよい。
【００３３】
格納手段１７ｃは、固定インターバル時間を格納している。格納手段１７ｃは、揮発性の記録媒体でもよく、不揮発性の記録媒体でも良い。オペレータの入力指示によって任意に設定されるように構成してもよく、予めＲＯＭに記憶されていても良い。固定インターバル時間は、最も頻繁に現像処理されるフィルム長、プリントサイズに基づいて算出される値が好ましいが、想定される最小値を設定してもよい。
【００３４】
制御ユニット１７の機能として、比較手段１７ａは、後述する可変インターバル時間算出手段２０４によって算出された可変インターバル時間と、格納手段１７ｃに格納されている固定インターバル時間を比較し、インターバル時間設定手段１７ｂは、比較手段１７ａの比較結果に基づいて、インターバル時間を設定する。例えば、固定インターバル時間が可変インターバル時間より大きい場合に、当該固定インターバル時間をインターバル時間に設定し、固定インターバル時間が可変インターバル時間より小さい場合に（インターバル時間として固定インターバル時間より大きい値を必要とする場合）、当該固定インターバル時間と当該可変インターバル時間との差分値を当該固定インターバル時間に加算した値をインターバル時間に設定する。
【００３５】
設定されたインターバル時間に基づいて制御ユニット１７は、ローディング開始タイミングを制御する。具体的に、制御ユニット１７は、ローディング完了時刻（ローディング検出手段１１ｃでフィルム後端を検出した時刻）からインターバル時間のタイマー計測を開始し、固定インターバル時間のほうが可変インターバル時間より大きい場合に、そのまま固定インターバル時間までタイマー計測を継続し、次のフィルムのローディング開始タイミングとする。一方、固定インターバル時間のほうが可変インターバル時間より小さい場合に、固定インターバル時間と可変インターバル時間との差分値を固定インターバル時間に加算した時刻までタイマー計測を継続し、そのインターバル時間経過後に次のフィルムのローディングを開始するように構成することは、処理効率上好ましい。
【００３６】
そして、インターバル時間のタイマー計測中は、蓋体１１Ａを開けることができないようにロック機構（不図示）を用いてロックされるように構成する。インターバル時間経過後に、自動的にロック解除され、蓋体１１Ａが開いて、次のフィルムカートリッジＣａを挿入・セットできるように構成できる。そして、蓋体１１Ａを閉じると自動的にローディングが開始される。ロック機構は、従来公知のロック機構が適用できる。
【００３７】
現像処理部１２は、発色現像槽、漂白槽、定着槽、安定槽を有し、現像処理部１２内部において搬送機構１５は、リーダＬ及びフィルムを搬送する複数の圧着型のローラを備えている。また、乾燥処理部１３は、現像処理部１２から搬送されてきたフィルムを乾燥するブロワ１３Ａを備える。
【００３８】
搬送機構１５は、搬送経路の各部に圧着ローラ１５Ａと、この圧着ローラ１５Ａを電動モータ（不図示）で同期駆動する駆動系を備える。
【００３９】
フィルムストッカー１８は、排出部１４からリーダＬが排出される際に、フィルムスキャナＦＳへフィルムを供給するための供給搬送機構Ａが、排出状態（フィルムスキャナＦＳに供給できない状態、フィルムスキャンＦＳで直前のフィルムが未だスキャン処理されている状態）にある場合に、リーダＬ及びフィルムが送り込まれるように構成される。
【００４０】
＜供給搬送機構＞
図２、図４、図５に示すように、供給搬送機構Ａは、フィルムスキャナＦＳとフルムプロセッサＦＰとの間の一対の中間フレーム３０で挟まれる空間に配置される。軸体４０を介して上下方向に揺動自在に支持したガイド板４１（案内部材の一例）と、中間フレーム３０に対して支持された回動軸５０と一体的に揺動する揺動アーム５１に支持されたチャッカーＣと、これらを制御する制御ユニット３１と、このチャッカーＣから送り出されたリーダＬを受け止めるリーダトレイ３２とを有する。
【００４１】
ガイド板４１は、リーダＬの幅方向での両端部を圧着して搬送しうる幅に形成された下部ガイド板４１Ａと上部ガイド板４１Ｂとを有し、リーダＬとフィルムＦとを送る遊転ローラ４２と、圧着型の供給搬送ローラ４３を備え、下部ガイド板４１において搬送方向で供給搬送ローラ４３より上流位置にはフィルムＦの幅より充分に広い幅の開放空間４１Ｓを形成してフィルムＦが自重で下方に弛む現象を許す。
【００４２】
供給搬送ローラ４３は、駆動ローラと圧着ローラとで構成され駆動ローラは搬送モータによって駆動される。フィルムＦの搬送方向でガイド板４１の下流側には第１センサＳ１を備え、この第１センサＳ１より更に下流側に固定刃４６Ａと、可動刃４６Ｂと、可動刃４６Ｂを作動させるカッターモータ４６Ｃを備える。
【００４３】
ガイド板４１は、フィルム搬送可能とする供給位置Ｘ１と（図４（ａ））、排出位置Ｘ２（図４（ｂ））とに切り替え自在に構成される。
【００４４】
チャッカーＣは、揺動アーム５１の揺動端に備えた第２センサＳ２と、駆動ローラ５２と、この駆動ローラ５２に圧着する圧着ローラ５３とで構成され、チャッカーＣは回動軸５０の回動によって図４（ａ）に示すチャック位置Ｃ１と、図４（ｂ）に示す受け渡し位置Ｃ２とに切り替え自在に構成されるように、回動軸５０を駆動する回動モータ５４を中間フレーム３０に備える。
【００４５】
チャッカーＣを受け渡し位置Ｃ２にセットした場合には、このチャッカーＣとガイド板４１の搬送終端との中間に前方の開放するループ形成空間Ｚを形成しており、この空間にループストッカー３３を備えて、送り出されたフィルムＦを大きく弛ませてループ状に貯留できるようにしている。ここでのループ形成を第２ループ形成と称す。第１、２センサＳ１、Ｓ２は、光源（Ｓｂ）と受光素子（Ｓａ）からなる一対の光学式センサで構成される。
【００４６】
フィルムプロセッサＦＰの制御ユニット１７と、フィルムスキャナＦＳの制御ユニット２５と、供給搬送機構Ａの制御ユニット３１と、コンピュータ（ＣＰＵ、メモリ等で構成される）とは、それぞれ相互に通信可能であり、現像処理されたフィルムのサイズ、長さの情報は、各制御ユニット、コンピュータに送信され、スキャン処理の有無の情報がコントロールパネル１６又はコンピュータから供給搬送機構Ａに伝送される。
【００４７】
フィルム処理装置ＦＡでは、フィルム現像のみを行う場合には、供給搬送機構Ａを排出位置Ｘ２に制御して、フィルムプロセッサＦＰの排出部１４から排出されたフィルムをそのままフィルムストッカー１８に送り出す。また、スキャンニングを行う必要がある場合、排出部１４から排出されたフィルムを、供給搬送機構Ａを供給位置Ｘ１に制御して、フィルムスキャナＦＳに供給する。
【００４８】
＜連続処理モード＞
本発明においては、例えば、連続処理モードに設定することにより、フィルムストッカー１８にフィルムが排出されないように、連続して現像処理・スキャン処理が実行されるように構成される。以下に、図面を用いて自動スキャンニングを行うこの連続処理モードの動作について説明する。
【００４９】
供給搬送機構Ａを供給位置Ｘ１に配置し、チャッカーＣをチャック位置Ｃ１にセットする。ガイド板４１を供給位置Ｘ１にセットした状態では供給搬送ローラ４３、チャッカーＣの駆動ローラ５２とが駆動される。そして、排出部１４からフィルムＦが排出されると、ガイド板４１に挿入され、遊転ローラ４２から供給搬送ローラ４３に送られ、搬送モータ４４とチャッカーＣとで更に搬送される。なお、図中、Ｌ（ｆ）は、リーダＬ及びフィルムＦを意味する。
【００５０】
供給搬送ローラ４３とチャッカーＣの搬送速度は等しく設定されているが、フィルムＦに不必要な張力を作用させないように、供給搬送ローラ４３とチャッカーＣとの搬送速度は、排出部１４から排出される搬送速度より少し低速に設定される。
【００５１】
上記のように供給搬送機構Ａに導入されたリーダＬの先端位置を第１センサＳ１と第２センサＳ２とが検出し、この検出タイミングと、供給搬送ローラ４３、チャッカーＣの各々によるリーダＬの搬送速度とに基づいてリーダＬの位置が取得される。リーダＬの位置が取得された後、フィルムが設定量だけ搬送されたタイミングで、搬送停止し、カッター４６でフィルム先端を切断し、リーダＬを切り離し、この後、チャッカーＣを駆動して、リーダＬをリーダトレイ３２に送り出し、更に、供給搬送ローラ４３とチャッカーＣとの駆動によってフィルムＦの先端（切断後の先端）をチャッカーＣでチャックされる位置まで搬送して停止する。
【００５２】
排出部１４から排出される搬送速度より低速に設定され、また、リーダＬ切断時の停止等により、図５（ａ）に示すように下部ガイド板４１Ａに形成した開放空間４１ＳからフィルムＦをループ状に弛ませて速度差を吸収する。
【００５３】
図５（ｂ）に示すように、回動モータ５４の駆動により揺動アーム５１を受け渡し位置Ｃ２にセットする。このセットの際には、供給搬送ローラ４３を駆動することによりガイド板４１からフィルムＦを送り出し、この送りだし速度よりチャッカーＣの移動速度が低速になるように揺動アーム５１を作動させる。
【００５４】
受け渡し位置Ｃ２にセットした後、供給搬送ローラ４３の駆動を継続的に行うことにより、図５（ｂ）に示すように、ループ形成空間Ｚに対してフィルムＦをループ状に弛ませ、ループストッカー３３によって受け止める。このループ形成が第２ループである。
【００５５】
そして、排出部１４からフィルム後端が排出されたことを第１センサＳ１が検出したタイミングをスキャンニングするタイミングとして、図５（ｃ）に示すようにチャッカーモータ５９を駆動することにより、チャッカーＣの駆動ローラ５２でフィルムＦを送り出し、フィルムＦ先端をフィルムスキャナＦＳのフィルムキャリア２１の供給部２１Ａに送り込み、フィルムスキャナＦＳにおいてフィルムＦのコマ画像の情報を読み取る。
【００５６】
チャッカーＣからフィルムＦを送り出す際の搬送速度は、フィルムキャリア２１でのフィルムＦの搬送速度より低速に設定され、チャッカーＣから過剰にフィルムＦを送り出す不都合を回避し、フィルムＦに過大な張力を作用させず、円滑にフィルムＦを送り込める。
【００５７】
チャッカーＣからフィルムＦを送り出す制御を行い、送り出しが完了したことを第２センサＳ２での検出結果から判別した後には、チャッカーＣをチャック位置Ｃ１にセットし、ガイド板４１を排出位置Ｘ２にセットする。
【００５８】
＜フィルムスキャナ＞
フィルムスキャナＦＳは、図１、２に示すように、スキャナ本体の下部にフィルムキャリア２１を配置し、このフィルムキャリア２１の下側に光源ユニット２２を、フィルムキャリア２１の上側にズームレンズ２３と光電変換ユニット２４とを配置している。スキャナ本体の内部に制御ユニット２５を配置し、スキャナ本体の前面にスタートボタン２６を備える。フィルムスキャナＦＳは、フィルムプロセッサＦＰに固定されて一対の中間フレーム３０の上端に支持され。排出部１４の排出ブロック上部位置に配置されている。
【００５９】
フィルムキャリア２１は、フィルムプロセッサＦＰの前部と同じ方向に現像済写真フィルムの供給部２１Ａを形成し、この供給部２１Ａからフィルムを後部側に搬送しながらスキャニングを行えるように構成される。なお、フィルムキャリア２１にフィルムを送り出す前に、フィルムからリーダＬを切り離す処理がなされる。
【００６０】
また、フィルムキャリア２１は、搬送ローラ２１Ｂを駆動する搬送モータ（不図示）と、フィルムの存否を判別する非接触型の存否センサＳＦと、フィルムの幅方向での端部にバーコード状に形成されたコード情報を取得するコードセンサ（不図示）とを備える。存否センサＳＦは、一対の光電式センサ（受光型（Ｓａ）、投光型（Ｓｂ））とで構成されるのが好ましい。
【００６１】
光源ユニット２２は、Ｒ（赤）、Ｇ（緑）、Ｂ（青）の３原色の発光ダイオード（不図示）を有し、ズームレンズ２３は、焦点距離の調節によって、フィルムのコマの情報を設定された拡大率で光電変換ユニット２４の光電変換面に結像させる。この光電変換ユニット２４は、Ｒ（赤）、Ｇ（緑）、Ｂ（青）の３原色に対応してＣＣＤ等の光電変換素子でなる３つのラインセンサ（不図示）を備える。
【００６２】
＜プリント作成装置の機能ブロック構成＞
入力手段１００は、画像データの注文に関する情報であるオーダ情報の入力を受け付ける。例えば、モニター７に表示される操作画面（ＧＵＩ）を参照しながら、キーボード、マウス等の入力操作部８を操作して、オーダ情報が入力されるように機能する。
【００６３】
制御手段２００は、入力されたオーダ情報に対応する未現像写真フィルムをフィルムプロセッサＦＰで処理するように制御する。例えば、連続処理モードにおいて、複数のオーダ情報を連続して入力できるように入力手段１００を制御する。また、オーダ情報の入力は、一の未現像写真フィルム分のみを入力できるように制御する機能を有する。
【００６４】
また、制御手段２００の機能としては、オーダ情報の入力後に、フィルムプロセッサＦＰにセットされた未現像写真フィルムの現像処理を開始するように制御できる。また、フィルムプロセッサＦＰに未現像写真フィルムがセットされた場合に、オーダ情報の入力が可能となるように制御できる。
【００６５】
可変インターバル時間算出手段２０４は、スキャニング時間変動要因に基づいて可変インターバル時間を算出する。スキャニング時間変動要因は、例えば、スキャン処理における処理時間を決定する要因であって、例えば、コマ数、フィルム長さ、フィルム搬送速度、スキャン解像度、スキャンニングによるデータ処理負荷状況等が例示される。
【００６６】
また、可変インターバル時間算出手段２０４は、フィルムスキャナＦＳのデータ処理負荷量を予測する機能のデータ処理負荷量予測手段を有し、この予測結果に基づいて可変インターバル時間を算出することができる。データ処理負荷量は、例えば、スキャン処理で読み取られるデータ量に依存する。スキャン解像度が高いとデータ量が多くなり、また、コマ数が多いとデータ量が多くなるので、データ処理負荷量は多くなる。データ処理負荷量予測手段は、例えば、コマ数（フィルム長）とスキャン解像度に基づいてデータ処理負荷量を予測できる。
【００６７】
また、可変インターバル時間算出手段２０４は、ローディング検出手段１１Ｃから送信された検出結果によってフィルム長さを算出する。フィルム長さは、フィルム後端検出時刻からフィルム先端検出時刻を減算した値と搬送機構１５の搬送速度を乗算して求められる。なお、フィルム長さの種類は、通常、コマ数１２、２４、３６の３種類である。
【００６８】
そして、可変インターバル時間算出手段２０４は、少なくとも、当該算出されたフィルム長さと、オーダ情報によって決定されるスキャン解像度とに基づいて、未現像写真フィルム単位の現像処理間隔である可変インターバル時間を算出する。スキャン解像度は、プリントサイズによって任意に設定される値である。例えば、プリントサイズに比例してスキャン解像度も高い値に設定される。制御手段２００によって、算出された可変インターバル時間は、制御ユニット１７に送信される。また、可変インターバル時間算出手段２０４は、フィルム長さとスキャン解像度、搬送速度、スキャンニングのデータ処理時間に基づいて算出するように構成できる。
【００６９】
制御手段２００、可変インターバル時間算出手段２０４の処理手順は、通常、ソフトウェアで構成され、かかるソフトウェアは、不図示のＣＰＵ、メモリ等のハードウェア資源と協働して動作するものであるが、専用回路、ファームウエア等を組み合わせて構成してもよい。当該ソフトウエアプログラムは、ＲＯＭ等のメモリに予め格納されている。
【００７０】
＜画像判定部の構成＞
画像判定部４は、フィルム処理装置ＦＡから取得した画像データに対する判定をオペレータが行なうための機能を提供し、かかる機能は主としてソフトウェアにより提供される。これは、画像データに基づいて写真プリントを作成する前に、適切な画質の写真プリントが作成されるか否かを判定するものであり、かかる作業をプレジャッジと称することとする。画像判定部４には、補正データの設定機能、プリントデータの設定機能、サムネイル画像の設定機能が主たる機能として設けられている。なお、プレジャッジは必ず行なわなければならないものではなく、プレジャッジを省略してプリント処理を行うことも可能である。なお、以下において、オーダーデータとは、１オーダに含まれる画像データ群と、プレジャッジにより設定された補正データ、プリントサイズ、プリント枚数などのプリントデータ、オーダを特定するデータ（オーダ識別ＩＤ、顧客の氏名、住所、会員ＩＤなどのデータ）により構成される。オーダ情報は、プリントデータの一部を構成する。
【００７１】
＜オーダ制御部の構成＞
オーダ制御部５は、プリント処理すべき画像データをオーダ単位に管理する機能を提供する。オーダ登録部５ａは、画像判定部４によりプレジャッジの終了したオーダーデータを記憶装置６に登録・保存する機能を有する。記憶装置６は概念的に、スプーラ６ａと呼ばれる部分と、その他の記憶部６ｂとで構成される。プリント処理すべきオーダーデータは、すべてスプーラ６ａに保存される。従って、スプーラ６ａにオーダーデータを保存することでオーダの管理を行なうことができ、プリント処理の順番や割り込みなどの制御を行なうことができる。スプーラ６ａと、記憶部６ｂは、いずれもハードディスクのような大容量記憶装置により構成することができるが、スプーラ６ａと記憶部６ｂは、ハードウェア的に別々のハードディスクにより構成してもよいし、１つのハードディスクの記憶領域を分割して、スプーラ６ａとして機能する領域と、それ以外の領域を形成してもよい。
【００７２】
プリント処理制御部５ｂは、プリント処理指令を後述する画像処理基板９（画像処理手段に相当する）に送信する。そして、この指令に従って、画像処理基板９は、オーダーデータに基づいて、画像処理を行う。
【００７３】
モニター７は、オーダ情報の入力操作画面表示以外に、その他の例えば、プレジャッジを行なうための画面やオーダ管理画面等を表示させるものであり、プリント処理等を行うために必要な画面を提供する。入力操作部８は、キーボードやマウス等により構成され、オーダ情報入力、プリント処理に必要なデータ入力や設定、各種指令を行うために用いられる。
【００７４】
画像処理基板９（画像処理手段に相当する）は、スプーラ６ａから画像データと補正データを受け取り、補正データに基づいて画像データに対する画像処理を行い、写真プリントを作成するために用いられるプリント用画像データを生成する。画像処理基板９は、受信メモリ、処理回路部、展開メモリにより構成され、処理回路部において指定された画像処理が行なわれる。具体的には、補正データに基づく色・濃度の補正、設定されたプリントサイズに従ったデータの拡縮処理などである。
【００７５】
次に、図３に示すプリント処理部の構成を簡単に説明する。ペーパーマガジン１０１には、写真感光材料（印画紙ともいう）であるペーパーがロール状に収容されている。ペーパーマガジン１０１は、２台を設置することができ、例えば、ペーパー幅の異なるペーパーを予めセットしておくことができる。ペーパーカッターは、ペーパーマガジン１０１から引き出された長尺状のペーパーを設定されたプリントサイズになるように切断する。
【００７６】
露光エンジン１０２ａは、画像処理基板９の展開メモリから送信されてくるプリント用画像データを受け取り、このプリント用画像データに基づいて、ペーパーの乳剤面に画像を焼付露光する。露光エンジン１０２ａとしては、特定の方式のものに限定されるものではなく、例えば、レーザーエンジン、ＣＲＴエンジン、ＰＬＺＴエンジンなどを用いることができる。
【００７７】
裏印字手段１０２ｂは、ペーパーの裏面に、オーダ識別ＩＤ、コマナンバー、プリント処理済枚数、プリント要求枚数、補正テータ等をプリントする機能を有する。裏印字手段１０２ｂは、例えば、ドットインパクトプリンタ、熱転写式プリンタ、インクジェットプリンタ等で実現される。
【００７８】
現像処理部１０３は、画像が焼付露光されたペーパーの現像処理を行い、乾燥処理部１０４は、現像処理されたペーパーの乾燥処理を行なう。ペーパー排出部から仕上がりの写真プリントが装置本体外部に排出され、所定の集積装置（不図示）によりオーダ単位で集積される。
【００７９】
ペーパーセンサー１０６は、ペーパー排出部から排出されるペーパーを検出し、あるオーダの写真プリントが全て排出されたか否かを検出する。センサ制御部（不図示）は、ペーパーセンサー１０６の駆動制御を行なうと共に、ペーパーセンサー１０６からの信号を受信して解析する。
【００８０】
（実施形態１）
＜インターバル時間の設定＞
フィルム間のローディング開始のタイミングを設定するためのインターバル時間の設定は以下の条件を満たすことが望ましい。
（１）第１条件：チャッカーＣの回転分の第２ループ形成が完了するまでに、直前のフィルムの本スキャンが完了し、フィルムスキャナＦＳより排出されること。チャッカーＣは、フィルムプロセッサＦＰの排出部１４から排出されたフィルムを挟持し、上記したようにフィルムスキャナＦＳのフィルムキャリア２１に渡すように、回転駆動する。第２ループ形成は、フィルムを挟持したチャッカーＣを回転させ、フィルムキャリア２１へのセット位置手前で待機させた場合に、継続して搬送されてくるフィルムによって形成されるループである。なお、第１ループ形成は、排出部１４と供給搬送機構Ａの間に形成されるフィルムのループである。第１ループは、例えば、設定値として５０ｍｍと規定する。
（２）第２条件：リーダＬ先端がガイド動作範囲に入るまでに、前のフィルムの停止位置確認要否の判断が完了していること。
【００８１】
上記第１条件に従った可変インターバル時間を以下の式で算出できる。
（数１）
Ｙ１＝Ｈ＋Ｉ＋（プレスキャン時間）＋（本スキャン時間）−Ｐ／Ｖｐ−Ｑ      （１．１）
ここで、Ｙ１は、可変インターバル時間である。Ｈは、フィルム後端が排出部１４から排出完了後、供給搬送機構Ａを通り、図２に示す４９の位置までに搬送される時間である。Ｉは、チャッカーＣをチャッカーホーム（フィルムキャリア２１にフィルムを供給できる位置：受け渡し位置Ｃ２）に移動する時間である。Ｖｐは、フィルムの現像処理速度（搬送速度）である。Ｐは、パラメータであり、例えば、リーダＬを第1ループ形成位置１４ｃまで搬送する距離と、第1ループの長さと、チャッカーＣ手前に配置したフィルムカッタ４６のフィルムカット位置まで搬送する距離と、カット後のフィルム先端をチャッカーＣまで搬送する距離との和である。Ｑは、フィルムカット時間（例えば、１秒に設定）とカットされたリーダＬを排出する時間（例えば、１．５秒に設定）の和である。なお、第１ループ形成位置１４ｃは、排出部１４と供給搬送機構Ａとの間の空間部分である。
【００８２】
上記式（１．１）において、例えば、
Ｈ＋Ｉ−Ｑ＝１３［ｓｅｃ］（Ｈ＝１０、Ｉ＝５．５、Ｑ＝２．５）
Ｐ＝７５０［ｍｍ］
Ｖｐ＝６［ｍｍ／ｓｅｃ］
（プレスキャン時間）＋（本スキャン時間）＝０．０６Ｌｆ＋１２（ここで、Ｌｆは、フィルム長さである。スキャン時間は、スキャン解像度、フィルム長さに依存する。ここでは、プリントサイズＬ判としてスキャン解像度を設定している。）
の場合に、可変インターバル時間Ｙ１は、
Ｙ１＝０．０６Ｌｆ−１００［ｓｅｃ］      （１．２）
の関係が成り立ち、フィルム長Ｌｆの一次関数で表される。
【００８３】
固定インターバル時間Ｙ２は、例えば２８［ｓｅｃ］が予め設定されているとする。なお、フィルムプロセッサＦＰへのフィルムの自動挿入がない場合、フィルムセット時間（例えば、５［ｓｅｃ］）を考慮するように設定される。
【００８４】
図６に示すように、インターバル時間は網掛け部分であり、フィルム長Ｌｆが短い場合は、固定インターバル時間Ｙ２（２８［ｓｅｃ］）が適用され、フィルム長が所定値以上で上記式（１．２）の一次関数で算出される可変インターバル時間Ｙ１が適用される。
【００８５】
次いで上記第２条件に従ったインターバル時間を以下の式で算出できる。
（数２）
Ｙ１＝Ｈ＋（プレスキャン時間）＋Ｄ＋Ｓ−Ａ      （２．１）
ここで、Ｄは、プレスキャン完了後、停止位置確認要否を判断する時間である（例えば、オペレータによるコマ位置の確認時間である）。Ｓは、ストッカ１８へフィルムを排出するための排出位置Ｘ２から、フィルムをチャッカーＣに搬送するためのフィルム供給位置Ｘ１に搬送供給機構Ａを切り換えて（ガイド位置切り替え）からリーダＬ先端が、供給搬送機構Ａのガイド動作範囲に入るまでの余裕時間である。Ａは、リーダＬ先端が排出部１４から排出開始されてからガイド動作範囲まで搬送する時間である（排出部１４からガイド動作範囲までの搬送距離／処理速度Ｖｐで算出される）。
【００８６】
上記式（２．１）において、例えば、
Ｈ＝１０［ｓｅｃ］
（プレススキャン時間）＝０．０１２Ｌｆ＋２．５
Ａ＝１４［ｓｅｃ］
Ｄ＝１１［ｓｅｃ］
Ｓ＝５［ｓｅｃ］
の場合に、可変インターバル時間Ｙ１は、
Ｙ１＝０．０１２Ｌｆ＋１４．５［ｓｅｃ］      （２．２）
の関係が成り立ち、フィルム長Ｌｆの一次関数で表される。
【００８７】
図７に示すように、インターバル時間は網掛け部分であり、フィルム長Ｌｆが短い場合は、固定インターバル時間Ｙ２（２８［ｓｅｃ］）が適用され、フィルム長が所定値以上で上記式（２．２）の一次関数で算出される可変インターバル時間Ｙ１が適用される。
【００８８】
例えば、フィルム長Ｌｆが１５４０ｍｍ（３６枚撮りフィルム）の場合に、上記式（２．２）において、可変インターバル時間Ｙ１は、３２．９８［ｓｅｃ］となる。固定インターバル時間Ｙ２が２８［ｓｅｃ］の場合、Ｙ２よりＹ１が大きいので、この可変インターバル時間Ｙ１（３２．９８［ｓｅｃ］）がインターバル時間として設定される。
【００８９】
また、例えば、フィルム長Ｌｆが１０９０ｍｍ（２４枚撮りフィルム）の場合に、上記式（２．２）において、可変インターバル時間Ｙ１は、２７．５８［ｓｅｃ］となる。固定インターバル時間Ｘ２が２８［ｓｅｃ］の場合、Ｙ２のほうがＹ１より大きいので、固定インターバル時間Ｙ２（２８［ｓｅｃ］）がインターバル時間として設定される。
【００９０】
なお、上記条件（１）、（２）においては、条件（２）を満たせば条件（１）を満足するので、条件（１）よりも条件（２）のほうがインターバル時間を設定するのに好ましい。
【００９１】
以下に本発明の処理手順について図８のフローチャートを用いて説明する。オーダ情報の入力画面からオーダ情報の入力を行い（Ｓ１）。オーダ情報の入力完了後、未現像写真フィルムのフィルムカートリッジＣａをセットする（Ｓ２）。セットされると、カートリッジ検出手段１１ｄが検出して、制御ユニット１７に検出信号を送信し、これにより、ロック制御部１７ｆが、蓋体１１Ａをロックするようにロック機構に指令する（Ｓ２）。また、制御ユニット１７は、フィルム駆動機構１１ｅを制御し、フィルムを現像処理部１２側に搬送する。そして、制御ユニット１７は、ローディング検出手段１１ｃが検出した、フィルム先頭（リーダＬ）の検出信号を制御手段２００に送信する。また、フィルム先頭（リーダＬ）が検出されると、搬送機構１５が駆動され、未現像写真フィルムを現像処理部１２に搬送するように動作する（ローディング開始）（Ｓ３）。ついで、フィルム後端をローディング検出手段１１ｃが検出すると（Ｓ４）、タイマー計測部１７ｇがタイマー計測を開始する（Ｓ５）。
【００９２】
そして、制御ユニット１７は、ローディング検出手段１１ｃが検出した、フィルム後端の検出信号を制御手段２００に送信する。可変インターバル時間算出手段２０４は、フィルム先端と後端の検出信号が送信されてきた各々の時刻と、搬送速度からフィルム長さを算出する（Ｓ６）。そして、可変インターバル時間算出手段２０４は、上記条件（２）に基づいて、可変インターバル時間を算出する。
【００９３】
算出された可変インターバル時間は、制御手段２００によって制御ユニット１７に送信される。そして、比較手段１７ａは、固定インターバル時間を格納手段１７ｃから取得し、固定インターバル時間が可変インターバル時間以上か否かを判断する（Ｓ８）。固定インターバル時間が可変インターバル時間以上である場合、インターバル時間設定手段１７ｂによって固定インターバル時間がインターバル時間として設定される（Ｓ９）。一方、固定インターバル時間が可変インターバル時間より小さい場合、インターバル時間設定手段１７ｂは、固定インターバル時間と可変インターバル時間の差分をとり（Ｓ１０）、その差分値と固定インターバル時間を加算し（Ｓ１１）、その値をインターバル時間に設定する（Ｓ１２）。
【００９４】
そして、タイマー計測部１７ｇは、上記ステップで設定されたインターバル時間までタイマー計測を継続する。例えば、タイマー計測開始時刻が１２時００分００秒であり、設定されたインターバル時間が３０秒であれば、タイマー計測は１２時００分３０秒まで行われる。タイマー計測部１７ｇは、時刻が、タイマー開始時刻からインターバル時間分経過したか否かを判断し（Ｓ１３）、経過した場合に、ロック制御部１７ｆは、蓋体１１Ａのロックを解除し（Ｓ１４）、次のフィルムのセットを可能にし、次のフィルムの処理を行う。なお、オーダ情報の入力は、直前のフィルムのローディングが開始された後に次のオーダ情報の入力が可能になるように構成してもよく、直前のフィルムのローディング完了後に次のオーダ情報の入力が可能になるように構成してよい。
【００９５】
以上、本発明によれば、フィルム毎に適切なインターバル時間を設定できるので、フィルム間の現像処理、スキャン処理を効率よく連続して行えるプリント処理システムを提供することができる。
【００９６】
＜別実施形態＞
上記実施形態において、オーダ情報がプリント作成装置ＰＡで入力されるように構成したが、特にこれに制限されず、フィルムプロセッサＦＰのコントロールパネル１６から入力できるように構成してもよい。
【００９７】
また、可変インターバル時間算出手段２０４の機能をフィルムプロセッサＦＰの制御ユニット１７にもたせるように構成してもよい。
【００９８】
また、上記実施形態において、未現像写真フィルムを検出する検出手段として、ローディング検出手段１１ｃがフィルム先端及び後端を検出し、その検出結果から、可変インターバル時間算出手段２０４がフィルム長さを算出するように構成されていたが、特にこれに限定されず、検出手段は、フィルムのコマ数を検出するように構成し、検出されたコマ数とコマ数の長さ（予め設定されている値）に基づいてフィルム長を算出するように構成してもよい。かかる場合検出手段は、イメージセンサと画像解析手段で実現できる。
【００９９】
また、上記実施形態において、可変インターバル時間は、例えば、フィルム長、スキャン解像度、スキャン搬送速度、現像処理搬送速度等に基づいて算出されていたが、データ処理負荷量を予測し、このデータ処理負荷量を変数に加味して算出するように構成することもできる。
【図面の簡単な説明】
【０１００】
【図１】プリント処理システムの外観の一例を示す図
【図２】フィルム処理装置の一例を説明する図
【図３】プリント処理システムの機能を示すブロック図
【図４】供給搬送機構の一例を説明する図
【図５】連続処理の動作の一例を説明する図
【図６】インターバル時間設定の一例を説明する図
【図７】インターバル時間設定の一例を説明する図
【図８】インターバル時間設定の処理手順を説明するフローチャート
【符号の説明】
【０１０１】
ＦＰ      フィルムプロセッサ
ＦＳ      フィルムスキャナ
ＰＡ      プリント作成装置
Ａ        供給搬送機構
Ｃ        チャッカー
Ｃａ      フィルムカートリッジ
ＳＦ      存否センサ
１        プリント処理システム
１１      フィルム挿入部
１１Ａ    蓋体
１１ｃ    ローディング検出手段
１１ｄ    カートリッジ検出手段
１１ｅ    フィルム駆動機構
１２      現像処理部
１３      乾燥処理部
１４      排出部
１５      搬送機構
１６      コントロールパネル
１７      制御ユニット
１７ａ    比較手段
１７ｂ    インターバル時間設定手段
１７ｃ    格納手段
１７ｆ    ロック制御部
１７ｇ    タイマー計測部
１８      フィルムストッカー
２１      フィルムキャリア
１００    入力手段
２００    制御手段
２０４    可変インターバル時間算出手段
【図１】
2007183361.tif 000003
【図２】
2007183361.tif 000004
【図３】
2007183361.tif 000005
【図４】
2007183361.tif 000006
【図５】
2007183361.tif 000007
【図６】
2007183361.tif 000008
【図７】
2007183361.tif 000009
【図８】
2007183361.tif 000010